(57)【特許請求の範囲】
【請求項１】
呼出手段および通話手段を有する子機端末と、
前記子機端末付近の人物を検知する来訪者検知手段と、
前記子機端末および前記来訪者検知手段に接続され通信回線を介して外部の通信端末に接続される親機端末とを備え、
前記親機端末は、
前記来訪者検知手段からの検知信号を受信して予め登録した前記通信端末を呼び出す自動発呼手段と、
来訪者がある旨の音声メッセージを予め記憶するメッセージ記憶手段と、
前記自動発呼手段により呼び出した前記通信端末の応答を検出すると、前記メッセージ記憶手段から音声メッセージを読み出して送信するメッセージ送信手段と、
前記子機端末の呼出手段からの呼出信号を受信すると、前記子機端末の通話手段と前記通信端末の通話手段とを接続する接続手段と、
前記自動発呼手段による呼び出しおよび前記接続手段による接続の要否を選択する転送設定手段と、
を有することを特徴とする転送機能付きインターホン装置。
【請求項２】
呼出手段、通話手段および撮像手段を有する子機端末と、
前記子機端末付近の人物を検知する来訪者検知手段と、
前記子機端末および前記来訪者検知手段に接続され通信回線を介して外部の通信端末に接続される親機端末とを備え、
前記親機端末は、
前記来訪者検知手段からの検知信号を受信して予め登録した前記通信端末を呼び出す自動発呼手段と、
来訪者がある旨の音声メッセージを予め記憶するメッセージ記憶手段と、
前記自動発呼手段により呼び出した前記通信端末の応答を検出すると、前記メッセージ記憶手段から音声メッセージを読み出して送信するメッセージ送信手段と、
前記子機端末の呼出手段からの呼出信号を受信すると、前記子機端末の通話手段および撮像手段と前記通信端末の通話手段および画像表示手段とを接続する接続手段と、
前記自動発呼手段による呼び出しおよび前記接続手段による接続の要否を選択する転送設定手段と、
を有することを特徴とする転送機能付きインターホン装置。
【請求項３】
前記親機端末は、前記自動発呼手段により呼び出した前記通信端末の応答を検出すると、前記接続手段により前記子機端末の撮像手段と前記通信端末の画像表示手段とを接続して画像信号のみを転送し、前記子機端末の呼出手段からの呼出信号を受信すると、前記接続手段により前記子機端末の通話手段および撮像手段と前記通信端末の通話手段および画像表示手段とを接続して画像信号および音声信号を転送する構成を有することを特徴とする請求項２記載の転送機能付きインターホン装置。
【発明の詳細な説明】
【０００１】
【発明の属する技術分野】
本発明は、例えば住戸の玄関などに設置したインターホンの子機端末からの呼び出しを、住戸内に設置したインターホンの親機端末によって所定の条件下で他の通信端末に転送する転送機能付きインターホン装置に関するものである。
【０００２】
【従来の技術】
従来から、スピーカおよびマイクロフォンからなる通話装置を有する子機端末と、同じくスピーカおよびマイクロフォンからなる通話装置を有する親機端末とを専用線を介して接続したインターホン装置が知られている。
【０００３】
このインターホン装置は、来訪者が子機端末の呼出ボタンを押下すると、親機端末の呼出チャイムが鳴動し、それに応えて住人が親機端末の通話装置で応答することにより、子機端末の通話装置と親機端末の通話装置との間で音声による通話が行えるように構成されたものである。
【０００４】
また、子機端末にテレビカメラを設け、親機端末にモニタテレビを設け、テレビカメラで撮像した来訪者の姿をモニタテレビに写し出し、その様子を住人が確認することで防犯機能を高めた装置も提案されている。
【０００５】
また、住人が外出中のときに子機端末から呼び出しがあると、親機端末が予め登録した通信端末（外出先の電話機または携帯電話など）を自動発呼し、子機端末と通信端末とを接続することで来訪者と外出先の住人とがリアルタイムでコミュニケーションが取れるようにした転送機能付きのインターホン装置も提案されている（例えば、特開平６−１６４７４６号公報）。
【０００６】
【発明が解決しようとする課題】
しかしながら、従来のインターホン装置は、子機端末と通信端末との接続に時間がかかり、外出先の住人からの応答が遅れるため、来訪者が帰ってしまうという課題があった。
【０００７】
本発明は、このような従来の課題を解決するためになされたもので、子機端末と親機端末とを迅速に接続できる優れた転送機能付きインターホン装置を提供するものである。
【０００８】
【課題を解決するための手段】
本発明の転送機能付きインターホン装置は、呼出手段および通話手段を有する子機端末と、子機端末付近の人物を検知する来訪者検知手段と、子機端末および来訪者検知手段に接続され通信回線を介して外部の通信端末に接続される親機端末とを備え、この親機端末は、来訪者検知手段からの検知信号を受信して予め登録した通信端末を呼び出す自動発呼手段と、来訪者がある旨の音声メッセージを予め記憶するメッセージ記憶手段と、自動発呼手段により呼び出した通信端末の応答を検出すると、メッセージ記憶手段から音声メッセージを読み出して送信するメッセージ送信手段と、子機端末の呼出手段からの呼出信号を受信すると、子機端末の通話手段と通信端末の通話手段とを接続する接続手段と、自動発呼手段による呼び出しおよび接続手段による接続の要否を選択する転送設定手段とを有する。
【０００９】
この構成により、親機端末は来訪者検知手段が来訪者を検知すると、来訪者が呼出ボタンを押す前に起呼処理を行い、外部の通信端末に発呼して来訪者がある旨のメッセージを送信するので、外出先の住人は来訪者があることを通知され、来訪者が呼出ボタンを押すと直ちに子機端末と通信端末とが接続され、両端末間における通話が速やかに開始されることになる。
【００１０】
また、本発明の転送機能付きインターホン装置は、呼出手段、通話手段および撮像手段を有する子機端末と、子機端末付近の人物を検知する来訪者検知手段と、子機端末および来訪者検知手段に接続され通信回線を介して外部の通信端末に接続される親機端末とを備え、親機端末は、来訪者検知手段からの検知信号を受信して予め登録した通信端末を呼び出す自動発呼手段と、来訪者がある旨の音声メッセージを予め記憶するメッセージ記憶手段と、自動発呼手段により呼び出した通信端末の応答を検出すると、メッセージ記憶手段から音声メッセージを読み出して送信するメッセージ送信手段と、子機端末の呼出手段からの呼出信号を受信すると、子機端末の通話手段および撮像手段と通信端末の通話手段および画像表示手段とを接続する接続手段と、自動発呼手段による呼び出しおよび接続手段による接続の要否を選択する転送設定手段とを有する。
【００１１】
この構成により、親機端末は来訪者検知手段が来訪者を検知すると、来訪者が呼出ボタンを押す前に起呼処理を行い、外部の通信端末に発呼して来訪者がある旨のメッセージを送信するので、外出先の住人は来訪者があることを通知され、来訪者が呼出ボタンを押すと直ちに子機端末と通信端末とが接続され、両端末間における通話および画像伝送が速やかに開始されることになる。
【００１２】
また、この場合、親機端末は、自動発呼手段により呼び出した通信端末の応答を検出すると、接続手段により子機端末の撮像手段と通信端末の画像表示手段とを接続して画像信号のみを転送し、子機端末の呼出手段からの呼出信号を受信すると、接続手段により子機端末の通話手段および撮像手段と通信端末の通話手段および画像表示手段とを接続して画像信号および音声信号を転送する構成を有する。
【００１３】
この構成により、親機端末は来訪者検知手段が来訪者を検知すると、通信端末を呼び出して子機端末の撮像手段で撮像した画像信号を通信端末の画像表示手段に伝送し、次いで呼出信号を受信すると、子機端末の通話手段と通信端末の通話手段とを接続して両端末間における通話が速やかに開始されることになる。
【００２０】
【発明の実施の形態】
以下、本発明の実施の形態について、図１から図３を用いて説明する。
【００２１】
（実施の形態１）
図１は、本発明の実施の形態１における転送機能付きインターホン装置の構成を示すブロック図である。この装置は、住戸の玄関または門柱などに設置される子機端末１と、住戸内に設置される親機端末２と、これら両端末を結ぶ専用線３とからなり、親機端末２は電話網４および図示せぬ交換機を介して通信端末５に接続されている。また、この装置は、子機端末１の近傍に設置される来訪者検知手段としての来訪者検知センサ６と、来訪者検知センサ６を親機端末２に接続する専用線７とを備えている。
【００２２】
子機端末１はスピーカおよびマイクロフォンを有する通話手段としての通話装置１１と、呼出手段としての呼出ボタン１２を備えている。また、通信端末５は通話手段としての通話装置５１と、相手先の電話番号等を入力するダイヤルボタン５２とを備えている。
【００２３】
また、親機端末２は接続手段および制御手段を構成する制御装置２１と、制御装置２１を専用線３に接続する子機接続回路２２と、制御装置２１を電話網４に接続する電話網インタフェース（Ｉ／Ｆ）２３とを備えている。
【００２４】
また、親機端末２はスピーカおよびマイクロフォンを有する通話装置２４と、相手先の電話番号等を入力するダイヤルボタン２５と、子機端末１と予め登録した通信端末５との接続を指令する転送設定手段としての転送設定ボタン２６と、呼出チャイム音等の各種報知音を出力する報知機２７と、通信端末５に自動発呼する自動発呼手段としての自動発呼回路２８と、電話網４を介して図示せぬ交換機からのダイヤルトーンを検出するＤＴ（ダイヤルトーン）検出回路２９と、計時回路３０と、音声メッセージが記憶されたメッセージ記憶回路３１と、制御装置２１を専用線７に接続するセンサ入力回路３２とを備えている。
【００２５】
次に、本実施の形態の動作について説明する。まず、転送設定ボタン２６が非転送モードに設定されている場合の動作について説明する。
【００２６】
この場合は、来訪者が子機端末１に近付くと、来訪者検知センサ６が来訪者を検知し、その検知出力がセンサ入力回路３２に入力される。来訪者検知センサ６は超音波スイッチまたは熱線スイッチからなり、子機端末１の前方数メートル内の人物のみを検知できる位置に設置されている。
【００２７】
制御装置２１は非転送モード時は来訪者検知センサ６による来訪者の検知を無視する。次いで、来訪者が子機端末１の呼出ボタン１２を押下すると、その呼出信号が専用線３を介して親機端末２の子機接続回路２２に入力される。制御装置２１は子機接続回路２２から呼出信号を受けると、報知機２７を制御して呼出チャイム音を鳴動させる。このチャイム音に応えて住人が通話装置２４で応答すると、子機端末１の通話装置１１と親機端末２の通話装置２４との間で音声による通話が開始される。
【００２８】
次に、転送設定ボタン２６が転送モードに設定されている場合の動作について説明する。
【００２９】
この場合は、来訪者が子機端末１に近付くと、前述したように来訪者検知センサ６が来訪者を検知し、その検知出力がセンサ入力回路３２に入力される。制御装置２１は転送モード時は来訪者検知センサ６による来訪者の検知をセンサ入力回路３２を介して受けつけ、電話網Ｉ／Ｆ２３によって電話網４を経由して交換機に起呼処理をする。
【００３０】
その結果、交換機から４００Ｈｚのダイヤルトーンが電話網４を経由して送られてくると、ＤＴ検出回路２９がそのダイヤルトーンを検出して制御装置２１に通知する。
【００３１】
制御装置２１はダイヤルトーンの検出通知を受けると自動発呼回路２８を制御して電話網Ｉ／Ｆ２３から電話網４に転送先の通信端末５のダイヤル信号を送出する。通信端末５の加入者番号は予め自動発呼回路２８に記憶しておく。
【００３２】
転送先の通信端末５から応答があると、制御装置２１はメッセージ記憶回路３１から来訪者がある旨のメッセージを読み出して転送先の通信端末５に送信し、外出先の住人に通知する。
【００３３】
来訪者が子機端末１の呼出ボタン１２を押下すると、制御装置２１は専用線３および子機接続回路２２を介して呼出信号を受信し、報知機２７を制御して呼出チャイム音を鳴動させる。
【００３４】
また、制御装置２１は子機接続回路２２および電話網Ｉ／Ｆ２３を接続することで子機端末１の通話装置１１と通信端末５の通話装置５１とを接続し、通話路を形成する。こうして住人は外出先から来訪者と通話することができる。
【００３５】
なお、制御装置２１は通信端末５を呼び出した後に、計時回路３０によって一定時間を計測し、一定時間内に子機端末１の呼出ボタン１２が押下されない場合は、来訪者検知センサ６で検知したのは来訪者でなかったと判断し、通信端末５との接続を切断して転送動作を中止する。
【００３６】
（実施の形態２）
図２は、本発明の実施の形態２における転送機能付きインターホン装置の構成を示すブロック図で、実施の形態１と同一の構成要素については同一符号を付して説明する。
【００３７】
この装置は、実施の形態１の構成において、子機端末１が撮像手段としてのテレビカメラ１３を有し、親機端末２がモニタテレビ３３を有し、さらに転送先の通信端末５が画像表示手段としてのモニタテレビ５３を有する点を除いては、前述の実施の形態１と同一の構成を有している。
【００３８】
次に、本実施の形態の動作について説明する。まず、転送設定ボタン２６が非転送モードに設定されている場合の動作について説明する。
【００３９】
この場合は、来訪者が子機端末１に近付くと、来訪者検知センサ６が来訪者を検知し、その検知出力がセンサ入力回路３２に入力される。制御装置２１は非転送モード時は来訪者検知センサ６による来訪者の検知を無視する。
【００４０】
来訪者が子機端末１の呼出ボタン１２を押下すると、その呼出信号が専用線３を介して親機端末２の子機接続回路２２に送信される。同時にテレビカメラ１３で撮像した映像信号が親機端末２の子機接続回路２２に送信される。
【００４１】
制御装置２１は子機接続回路２２から呼出信号を受けると、報知機２７を制御して呼出チャイム音を鳴動させる。このチャイム音に応えて住人が通話装置２４で応答すると、子機端末１の通話装置１１と親機端末２の通話装置２４との間で音声による通話が行えるようになり、テレビカメラ１３で撮像した来訪者がモニタテレビ３３に表示される。
【００４２】
次に、転送設定ボタン２６が転送モードに設定されている場合の動作について説明する。
【００４３】
この場合は、来訪者が子機端末１に近付くと、前述したように来訪者検知センサ６が来訪者を検知し、その検知出力がセンサ入力回路３２に入力される。制御装置２１は転送モード時は来訪者検知センサ６による来訪者の検知をセンサ入力回路３２を介して受けつけ、電話網Ｉ／Ｆ２３によって電話網４を経由して図示せぬ交換機に起呼処理をする。
【００４４】
その結果、交換機から４００Ｈｚのダイヤルトーンが電話網４を経由して送られてくると、ＤＴ検出回路２９がそれを検出し、制御装置２１に通知する。制御装置２１はダイヤルトーンを検出した通知を受けると、自動発呼回路２８を制御して電話網Ｉ／Ｆ２３から電話網４に転送先の通信端末５のダイヤル信号を送出する。
【００４５】
転送先の通信端末５から応答があると、制御装置２１はメッセージ記憶回路３１から来訪者がある旨のメッセージを読み出して転送先の通信端末５に送信し、外出先の住人に通知する。
【００４６】
来訪者が子機端末１の呼出ボタン１２を押下すると、制御装置２１は専用線３および子機接続回路２２を介して呼出信号を受信し、報知機２７を制御して呼出チャイム音を鳴動させる。
【００４７】
また、制御装置２１は子機接続回路２２および電話網Ｉ／Ｆ２３を接続することで子機端末１の通話装置１１と通信端末５の通話装置５１とを接続し、通話路を形成する。また、テレビカメラ１３で撮像した画像信号を通信端末５のモニタテレビ５３に送信する。こうして住人は外出先から来訪者と通話ができると共に通信端末５のモニタテレビ５３で来訪者の姿を見ることができる。
【００４８】
なお、制御装置２１は通信端末５を呼び出した後に、計時回路３０によって一定時間を計測し、一定時間内に子機端末１の呼出ボタン１２が押下されない場合は、来訪者検知センサ６で検知したのは来訪者でなかったと判断し、通信端末５との接続を切断して転送動作を中止する。
【００４９】
また、制御装置２１は呼出信号を受信した後に音声信号および画像信号を伝送するようにしたが、通信端末５と接続してから呼出信号を受信するまでは画像信号のみを通信端末５に転送するように構成してもよい。
【００５０】
また、制御装置２１に転送先の通信端末５がモニタテレビ５３を有する映像対応の機種か否かを検出する手段を設け、映像対応の機種である場合は音声信号および映像信号を転送し、映像対応の機種でない場合は音声信号のみを転送するように構成してもよい。
【００５１】
（実施の形態３）
図３は、本発明の実施の形態３における転送機能付きインターホン装置の親機端末の構成を示すブロック図で、実施の形態１と同一の構成要素については同一符号を付して説明する。なお、子機端末１、通信端末５および来訪者検知センサ６は実施の形態１と同一であるので省略する。
【００５２】
前述した実施の形態では、親機端末２が転送機能を内蔵する例について説明したが、本実施の形態による転送機能付きインターホン装置は、親機端末２が子機端末１と接続する本体装置２Ａと、外部の通信端末５への転送機能を有する転送装置２Ｂとからなるものである。従って、本体装置２Ａに転送装置２Ｂを取り付けることにより、本体装置２Ａに転送機能を付加できる構成となっている。
【００５３】
本体装置２Ａは制御装置２１Ａ、制御装置２１Ａを専用線３に接続する子機接続回路２２、スピーカおよびマイクロフォンからなる通話装置２４、呼出チャイム音等の各種報知音を出力する報知機２７を有する。
【００５４】
転送装置２Ｂは制御装置２１Ｂ、制御装置２１Ｂを電話網４に接続する電話網Ｉ／Ｆ２３、相手先の電話番号等を入力するダイヤルボタン２５、子機端末１と予め登録した通信端末５との接続を指令する転送設定ボタン２６、通信端末５に自動発呼する自動発呼回路２８、電話網４を介して図示せぬ交換機からのダイヤルトーンを検出するＤＴ検出回路２９、計時回路３０、音声メッセージが記憶されたメッセージ記憶回路３１、制御装置２１Ｂを専用線７を介して来訪者検知センサ６に接続するセンサ入力回路３２、制御装置２１Ｂを本体装置２Ａの子機接続回路２２に接続する本体接続回路６１、本体装置２Ａの報知器２７に接続する呼出信号検出回路６２を備えている。
【００５５】
この構成において、転送設定ボタン２６が非転送モードに設定されている場合は、来訪者が子機端末１に近付くと、来訪者検知センサ６が来訪者を検知し、その検知出力がセンサ入力回路３２に入力される。しかし、制御装置２１Ｂは非転送モード時は来訪者検知センサ６による来訪者の検知を無視する。
【００５６】
来訪者が子機端末１の呼出ボタン１２を押下すると、その呼出信号が専用線３を介して子機接続回路２２に入力される。制御装置２１Ａは子機接続回路２２から呼出信号を受けると、報知機２７を制御して呼出チャイム音を鳴動させる。このチャイム音に応えて住人が通話装置２４で応答すると、専用線３を介して子機端末１の通話装置１１および本体装置２１Ａの通話装置２４間が接続され、通話が開始される。
【００５７】
転送設定ボタン２６が転送モードに設定されている場合は、来訪者が子機端末１に近付くと、来訪者検知センサ６が来訪者を検知し、その検知出力がセンサ入力回路３２に入力される。制御装置２１Ｂは転送モード時は来訪者検知センサ６による来訪者の検知をセンサ入力回路３２を介して受けつけ、電話網Ｉ／Ｆ２３を制御して交換機に起呼処理をする。
【００５８】
その結果、交換機から４００Ｈｚのダイヤルトーンが電話網４を経由して送られてくると、ＤＴ検出回路２９がそのダイヤルトーンを検出し、制御装置２１Ｂに通知する。
【００５９】
制御装置２１Ｂはダイヤルトーンを検出した通知を受けると、自動発呼回路２８を制御して電話網Ｉ／Ｆ２３から交換機に転送先の通信端末５のダイヤル信号を送出する。
【００６０】
転送先の通信端末５から応答があると、制御装置２１Ｂはメッセージ記憶回路３１から来訪者がある旨のメッセージを読み出して転送先の通信端末５に送信し、外出先の住人に通知する。
【００６１】
来訪者が子機端末１の呼出ボタン１２を押下すると、制御装置２１Ａは専用線３および子機接続回路２２を介して呼出信号を受信し、報知機２７を制御して呼出チャイム音を鳴動させる。
【００６２】
この報知機２７を鳴動させる信号は転送装置２Ｂの呼出信号検出回路６２によって検出され、制御回路２１Ｂに送られる。制御装置２１Ｂは呼出信号検出回路６２から呼出信号を受けると、本体接続回路６１および電話網Ｉ／Ｆ２３を接続し、これによって子機端末１の通話装置１１と通信端末５の通話装置５１とを接続し、通話路を形成する。この結果、住人は外出先から来訪者と通話することができる。
【００６３】
なお、制御装置２１Ｂは通信端末５を呼び出した後、計時回路３０によって一定時間を計測し、一定時間内に子機端末１の呼出ボタン１２が押下されない場合は、来訪者検知センサ６で検知したのは来訪者でなかったと判断し、通信端末５との接続を切断し転送動作を中止する。
【００６４】
なお、前述の実施の形態では、制御装置２１または制御装置２１Ｂは交換機からダイヤルトーンを受けると直ちにダイヤル信号を送出して通信端末５と接続するようにしたが、ダイヤルトーンを受けた後、呼出信号の受信によってダイヤル信号を送出し、通信端末５と接続するようにしてもよい。従って、この場合は、制御装置２１または２１Ｂは来訪者が子機端末１の呼出ボタン１１を押した場合のみ、通信端末５を呼び出して接続することになる。
【００６５】
【発明の効果】
以上のように本発明によれば、来訪者検知手段が来訪者を検知すると、親機端末は子機端末からの呼出信号を受信する前に起呼処理を開始して通信端末に発呼し、通信端末の応答を検出すると来訪者がある旨のメッセージを送信し、子機端末からの呼出信号を受信する子機端末と通信端末を接続するので、子機端末と通信端末の接続を迅速に行うことができ、通信端末の接続に時間がかかり過ぎて来訪者が応答がないために帰ってしまうということを防止することができる。
【図面の簡単な説明】
【図１】本発明の実施の形態１における転送機能付きインターホン装置の構成を示すブロック図
【図２】本発明の実施の形態２における転送機能付きインターホン装置の構成を示すブロック図
【図３】本発明の実施の形態３における転送機能付きインターホン装置の構成を示すブロック図
【符号の説明】
１  子機端末
２  親機端末
２Ａ  本体装置
２Ｂ  転送装置
３  専用線
４  電話網
５  通信端末
６  来訪者検知センサ
７  専用線
１１  通話装置
１２  呼出ボタン
１３  テレビカメラ
２１、２１Ａ、２１Ｂ  制御装置
２２  子機接続回路
２３  電話網Ｉ／Ｆ
２４  通話装置
２５  ダイヤルボタン
２６  転送設定ボタン
２７  報知機
２８  自動発呼回路
２９  ＤＴ検出回路
３０  計時回路
３１  メッセージ記憶回路
３２  センサ入力回路
３３  モニタテレビ
５１  通話装置
５２  ダイヤルボタン
５３  モニタテレビ
６１  本体接続回路
６２  呼出信号検出回路
【図１】
0004197075.tif 000002
【図２】
0004197075.tif 000003
【図３】
0004197075.tif 000004